(57)【要約】【課題】複数の場所の温度又は湿度を個別に監視することができると共に温度又は湿度センサに予め書き込んだ設置場所情報を基に自動で識別番号を登録することができるので、専門の知識や技術を必要とせず容易に温度又は湿度センサの交換や増設を行うことができる多点環境監視装置を提供することを目的とする。【解決手段】本発明の多点環境監視装置１は、監視用コンピュータ２と、１以上の温度及び／又は湿度収集ユニット３と、被温度又は湿度監視物７に配設される１以上の温度又は湿度センサ４，４′と、を備え、温度及び／又は湿度収集ユニット３は、電源投入時に接続されている温度又は湿度センサ４，４′の識別番号を取得し取得した識別番号の温度又は湿度センサ４，４′と通信を行い、レジスタ部に格納された設置場所情報を読み出して設置場所情報を基に不揮発性メモリ部に識別番号を登録する構成を有している。【選択図】  図１
2004239871.tif 000002
【特許請求の範囲】
【請求項１】
表示部を有する監視用コンピュータと、前記監視用コンピュータにバス接続された１以上の温度及び／又は湿度収集ユニットと、前記温度及び／又は湿度収集ユニットにバス接続され被温度又は湿度監視物に配設される１以上の温度又は湿度センサと、前記温度又は湿度センサに内蔵され前記温度又は湿度センサの識別番号が格納された記憶メモリ部と、前記温度又は湿度センサに内蔵され前記温度又は湿度センサの設置場所情報が予め格納されるレジスタ部と、前記温度及び／又は湿度収集ユニットに内蔵され前記温度又は湿度センサの前記設置場所情報と前記識別番号とを対応させて記憶する不揮発性メモリ部と、を備え、
前記温度及び／又は湿度収集ユニットは、電源投入時に接続されている前記温度又は湿度センサの前記識別番号を取得し、取得した前記識別番号の前記温度又は湿度センサと通信を行い、前記レジスタ部に格納された設置場所情報を読み出して、前記設置場所情報を基に前記不揮発性メモリ部に前記識別番号を登録することを特徴とする多点環境監視装置。
【請求項２】
前記温度及び／又は湿度収集ユニットは、接続されている前記温度又は湿度センサにより検出された温度又は湿度データを取得した後、前記取得した温度又は湿度データと前記監視用コンピュータへ前回送信した温度又は湿度データの差を算出し、その差の絶対値が予め設定された値以上であれば今回取得した温度又は湿度データを前記監視用コンピュータへ送信することを特徴とする請求項１に記載の多点環境監視装置。
【請求項３】
前記温度及び／又は湿度収集ユニットは、接続されている前記温度又は湿度センサにより検出された温度又は湿度を取得した後、現在時刻と前記監視用コンピュータへ前回送信した時刻とを比較して、前回送信からの経過時間が予め設定された最大送信時間間隔以上であれば今回取得した温度又は湿度を前記監視用コンピュータへ送信することを特徴とする請求項１又は２に記載の多点環境監視装置。
【発明の詳細な説明】
【０００１】
【発明の属する技術分野】
本発明は、工場内や室内の複数の場所の温度や湿度を個別に監視する多点環境監視装置に関する。
【０００２】
【従来の技術】
従来、工場内や室内の複数の場所の温度を個別に監視する多点温度監視装置として種々のものが開発されている。このような多点温度監視装置は、例えば多数のサーバ装置をサーバラックに格納し一つの室内に並設して一括管理するような場合に用いられ、各サーバラックに配設された温度センサにより複数のサーバ装置の周辺温度を検出し、その周辺温度を個別に監視するものである。
このような従来の多点温度監視装置としては、特許文献１に「検出した温度情報を複数ビットのデジタルコードに変換して出力するデジタル式感温素子を複数個並列状に接続したことを特徴とするデジタル式ケーブル温度計」が開示されている。
【０００３】
【特許文献１】
特開平９−３１８４６１号公報
【０００４】
【発明が解決しようとする課題】
しかしながら上記従来の技術では、以下のような課題を有していた。
（１）各デジタル式感温素子の識別番号を予め登録した温度収集ユニットを用いる場合は、デジタル式感温素子の交換や増設を行う際に新たに設置されたデジタル式感温素子の識別番号を温度収集ユニットに登録する必要があり、登録作業に専門の知識や技術を要すると共に、作業が煩雑であり使用性に欠けるという課題を有していた。
（２）また、コンピュータやサーバ装置等の情報信号の信号処理を行う情報処理装置等においては、温度と共に湿度を監視して装置の稼動に好適な環境を維持することが求められている。
【０００５】
本発明は上記従来の課題を解決するもので、複数の場所の温度又は湿度を個別に監視することができると共に、温度又は湿度センサに予め書き込んだ設置場所情報を基に自動で識別番号を登録することができるので、専門の知識や技術を必要とせず容易に温度又は湿度センサの交換や増設を行うことができる多点環境監視装置を提供することを目的とする。
【０００６】
【課題を解決するための手段】
上記課題を解決するために本発明の多点環境監視装置は、以下の構成を有している。
本発明の請求項１に記載の多点環境監視装置は、表示部を有する監視用コンピュータと、前記監視用コンピュータにバス接続された１以上の温度及び／又は湿度収集ユニットと、前記温度及び／又は湿度収集ユニットにバス接続され被温度又は湿度監視物に配設される１以上の温度又は湿度センサと、前記温度又は湿度センサに内蔵され前記温度又は湿度センサの識別番号が格納された記憶メモリ部と、前記温度又は湿度センサに内蔵され前記温度又は湿度センサの設置場所情報が予め格納されるレジスタ部と、前記温度及び／又は湿度収集ユニットに内蔵され前記温度又は湿度センサの前記設置場所情報と前記識別番号とを対応させて記憶する不揮発性メモリ部と、を備え、
前記温度及び／又は湿度収集ユニットは、電源投入時に接続されている前記温度又は湿度センサの前記識別番号を取得し、取得した前記識別番号の前記温度又は湿度センサと通信を行い、前記レジスタ部に格納された設置場所情報を読み出して、前記設置場所情報を基に前記不揮発性メモリ部に前記識別番号を登録する構成を有している。
【０００７】
この構成により、以下のような作用を有する。
（１）温度及び／又は湿度収集ユニットは、電源投入時に接続されているすべての温度又は湿度センサの識別番号を取得し、取得した識別番号をその識別番号に対応する温度又は湿度センサの設置場所情報を基に不揮発性メモリ部に登録することができるので、温度又は湿度センサを交換又は増設した場合であっても、自動で温度又は湿度センサの識別番号を温度及び／又は湿度収集ユニットに登録することができる。
（２）予め温度又は湿度センサのレジスタ部に書き込んだ設置場所情報に対応付けて自動で識別番号を登録することができるので、専門の知識や技術を必要とせず誰でも容易に温度又は湿度センサの交換や増設を行うことができる。
（３）各温度又は湿度センサが温度及び／又は湿度収集ユニットにバス接続されているので、配線数を少なくすることができ、特に増設を容易に行うことができる。
【０００８】
本発明の請求項２に記載の発明は、請求項１に記載の多点環境監視装置であって、前記温度及び／又は湿度収集ユニットは、接続されている前記温度又は湿度センサにより検出された温度又は湿度データを取得した後、前記取得した温度又は湿度データと前記監視用コンピュータへ前回送信した温度又は湿度データの差を算出し、その差の絶対値が予め設定された値以上であれば今回取得した温度又は湿度データを前記監視用コンピュータへ送信する構成を有している。
【０００９】
この構成により、請求項１の作用に加え、以下のような作用を有する。
（１）温度及び／又は湿度収集ユニットは、取得した温度又は湿度データと監視用コンピュータへ前回送信した温度又は湿度データの差を算出し、その差の絶対値が予め設定された所定値以上であれば今回取得した温度又は湿度データを監視用コンピュータへ送信するので、温度や湿度の変化が殆どない場合にそのデータを送信することなく無駄なデータ送信を省くことができ、監視用コンピュータの負担を軽減することができる。
【００１０】
本発明の請求項３に記載の発明は、請求項１又は２に記載の多点環境監視装置であって、前記温度及び／又は湿度収集ユニットは、接続されている前記温度又は湿度センサにより検出された温度又は湿度を取得した後、現在時刻と前記監視用コンピュータへ前回送信した時刻とを比較して、前回送信からの経過時間が予め設定された最大送信時間間隔以上であれば今回取得した温度又は湿度を前記監視用コンピュータへ送信する構成を有している。
【００１１】
この構成により、請求項１又は２の作用に加え、以下のような作用を有する。
（１）温度及び／又は湿度収集ユニットは、現在時間と監視用コンピュータへ前回送信した時間とを比較して前回送信からの経過時間が最大送信時間間隔以上であれば今回取得した温度又は湿度データを監視用コンピュータへ送信する。
（２）温度及び／又は湿度収集ユニットは、温度又は湿度変化がなくても最大送信時間間隔で温度又は湿度データを監視用コンピュータへ送信するため、監視用コンピュータは、最大送信時間間隔以上の時間が経過してもデータが受信できなかった場合は、温度及び／又は湿度収集ユニットの故障や通信異常が発生していると検知することができる。
（３）監視用コンピュータは、起動後において、温度又は湿度変化がなくても最大送信時間間隔以上の時間が経過すれば温度又は湿度データを自動で得ることができるので、監視用コンピュータのソフトウェアの処理が簡略化する。
【００１２】
ここで、前回送信からの経過時間の計測は温度及び／又は湿度収集ユニットに内蔵されたタイマ等を用いて行われる。
【００１３】
【発明の実施の形態】
以下、本発明の一実施の形態について、図を用いて説明する。
（実施の形態１）
図１は本実施の形態１における多点環境監視装置の全体構成図であり、図２は温度及び／又は湿度収集ユニットの機能ブロック図であり、図３は温度及び／又は湿度収集ユニットの不揮発性メモリ部に記憶された設置場所対応テーブルを示す構成図であり、図４（ａ）は温度センサの機能ブロック図であり、図４（ｂ）は湿度センサの機能ブロック図である。
【００１４】
図１において、１はサーバ装置に設置された本実施の形態１における多点環境監視装置、２は収集した温度を表示する表示部２ａを有する監視用コンピュータ、３は監視用コンピュータ２にバス接続された温度及び／又は湿度収集ユニット、４，４′は温度及び／又は湿度収集ユニット３にバス接続された温度又は湿度センサ、５は監視用コンピュータ２と温度及び／又は湿度収集ユニット３をバス接続する第１のＬＡＮケーブル、６は温度及び／又は湿度収集ユニット３と温度又は湿度センサ４，４′をバス接続する第２のＬＡＮケーブル、７は図示しない被温度又は湿度監視物であるサーバ装置が格納されると共に温度又は湿度センサ４，４′が配設されたサーバラックである。監視用コンピュータ２は、温度及び／又は湿度収集ユニット３から温度又は湿度データが第１のＬＡＮケーブル５を介して入力され、この温度又は湿度データを表やグラフ等として表示部２ａに表示することができる。また、温度又は湿度センサ４，４′はサーバラック７毎に温度センサ４か湿度センサ４′のいずれか１を配設してもよく、或いは両者を１のサーバラック７に配設してもよい。本実施の形態１においては説明をわかりやすくするためにサーバラック７毎に温度センサ４か湿度センサ４′のいずれか１を配設した場合について説明しているが、これに限られるものではなく、すべてのサーバラック７に温度センサ４及び湿度センサ４′を配設することもできる。この場合、すべてのサーバラック７について各々温度及び湿度を監視することができる。
【００１５】
図２において、１１は温度及び／又は湿度収集ユニット３を制御するＣＰＵ、１２は不揮発性メモリ部、１３は第１のＬＡＮケーブル５が接続され監視用コンピュータ２と送受信を行うトランシーバ部、１４は第２のＬＡＮケーブル６が接続される温度又は湿度センサ接続ポートである。また、不揮発性メモリ部１２は、図３に示すように設置場所対応テーブル１５を有する。
【００１６】
図３において、１５は不揮発性メモリ部１２に格納された設置場所対応テーブルである。設置場所対応テーブル１５には、後述する電源投入時の動作により設置場所情報と識別番号とが互いに対応付けて格納される。本実施の形態１においては、図３に示すように、設置場所情報Ｐ１と設置場所情報Ｐ１に対応する識別番号Ｄ１とが対応付けて格納され、同様にして、設置場所情報Ｐ２と識別番号からＤ２続いて設置場所情報Ｐｎと識別番号Ｄｎが対応付けて格納される。設置場所情報と識別番号の対応付けの方法としては、予め図３に示すような設置場所対応テーブル１５を作成しておき、識別番号Ｄ１の温度又は湿度センサ４，４′は設置場所情報Ｐ１で示される設置場所、例えば番号Ｐ１が割り当てられたサーバラック７に配設されると共に、後述する電源投入時の動作により識別番号Ｄ１と設置場所情報Ｐ１とが対応付けて格納されることで対応付けが行われる。なお、設置場所対応テーブル１５は、後述する電源投入時の動作により前回の電源投入時に記憶された内容に上書きされる。
【００１７】
図４（ａ）において、２１は温度及び／又は湿度収集ユニット３との通信の際のデータ保持のためのスクラッチパッドメモリ部、２２は温度及び／又は湿度収集ユニット３からのコマンドに応じてプロセス制御により通信を行う記憶論理回路部、２３はサーバラック７を温度を検知することでサーバラック７に格納されたサーバ機器の温度を間接的に検知する温度検知部、２４は各々の温度センサ４又は湿度センサ４′の個別の設置場所情報が予め格納されるレジスタ部、２５は温度又は湿度をどの程度の細かさで検知することができるか、いわゆる分解能を設定するコンフィグレーションレジスタ部、２６はデータのエラーチェック用のＣＲＣコードを生成するＣＲＣジェネレータ、２７は後述の入出力回路に接続される入出力ポートと各々の温度センサ４、湿度センサ４′に固有の識別番号が格納されている記憶メモリ部とを有する入出力ポート兼記憶メモリ部、２８は入出力回路部、２９は電源供給状態を検出する電源検出部である。図４（ｂ）において、２３′はサーバラック７を湿度を検知することでサーバラック７に格納されたサーバ機器の湿度を間接的に検知する湿度検知部である。なお、図４（ｂ）に示した湿度センサ４′は、図４（ａ）に示した温度センサ４の温度検知部２３の代わりに湿度を検知する湿度検知部２３′を備えたこと以外は温度センサ４の構成と同様である。また、入出力回路部２８は、データライン２８ａと接地ライン２８ｂと電源ライン２８ｃを有している。データライン２８ａはＭｉｃｒｏＬＡＮ等の第２のＬＡＮケーブル６に接続されている。電源ライン２８ｃは電源ライン６ａに接続され、温度及び／又は湿度収集ユニット３から電力が供給される。
【００１８】
以上のように構成された多点環境監視装置について、以下その動作を図を用いて説明する。
図５は本実施の形態１における多点環境監視装置の電源投入時の動作を示すフローチャートであり、図６は本実施の形態１における多点環境監視装置の温度及び／又は湿度収集時の動作を示すフローチャートである。
【００１９】
多点環境監視装置１に電源が投入されると、図５に示すように、温度及び／又は湿度収集ユニット３のＣＰＵ１１は、接続されている温度又は湿度センサ４，４′を検索し（Ｓ１）、検索した温度又は湿度センサ４，４′の入出力ポート兼記憶メモリ部２７から識別番号を取得して不揮発性メモリ部１２に格納する（Ｓ２）。次に、取得した識別番号の温度又は湿度センサ４，４′と１対１通信を行い（Ｓ３）、温度又は湿度センサ４，４′のレジスタ部２４から設置場所情報を読み出し（Ｓ４）、この設置場所情報と識別番号とを対応させて不揮発性メモリ部１２の設置場所対応テーブル１５に登録する（Ｓ５）。例えば、電源投入時にＳ２で識別番号Ｄ１が取得されると、図３に示すように、識別番号Ｄ１とそれに対応する温度又は湿度センサ４，４′の入出力ポート兼記憶メモリ部２７に格納されている設置場所情報Ｐ１が設置場所対応テーブル１５に自動で登録される。温度及び／又は湿度収集ユニット３のＣＰＵ１１は、接続されているすべての温度又は湿度センサ４，４′について上記Ｓ１〜Ｓ５の動作を行い（Ｓ６，Ｓ７）、接続されている全ての温度又は湿度センサ４，４′の識別番号と設置場所情報を取得すると、電源投入時の動作を終了し、温度収集の動作を開始する。
なお、本実施の形態１においては、多点環境監視装置１の電源投入時に温度又は湿度センサ４，４′の識別番号を取得し、設置場所情報と識別番号とを対応させて不揮発性メモリ部１２の設置場所対応テーブル１５に登録しているが、この識別番号と設置場所情報の取得及び登録は電源投入時に限られるものではなく、例えば電源投入後に定期的に行うようにしてもよい。
【００２０】
次に、温度収集動作について説明する。図６に示すように、まず、ｉ＝１として（Ｓ１１）、設置場所情報Ｐｉ（Ｐ１）に対応した識別番号Ｄｉ（Ｄ１）を有する温度又は湿度センサ４，４′を呼び出し（Ｓ１２）、呼び出した温度又は湿度センサ４，４′と１対１通信を行う（Ｓ１３）。ここで、この温度又は湿度センサ４，４′の応答があるか否かを判定し（Ｓ１４）、応答があればスクラッチパッドメモリ部２１に書き込まれた温度又は湿度データを読み出す（Ｓ１５）。なお、電源投入後最初の読み出しの場合は、スクラッチパッドメモリ部２１に温度又は湿度データが書き込まれていないため、空データの読み出しとなり、上述したＳ１５に続く後述するＳ１６〜Ｓ２１の処理はスキップされる。なお、後述するデータの変換すなわちスクラッチパッドメモリ部２１へ書き込みにより、次のデータの読み出しからはＳ１５の処理により温度又は湿度データが読み出される。
続いて、監視用コンピュータ２へ前回送信した温度又は湿度データの値と今回読み出された温度又は湿度データの値の差を算出しその差の絶対値が予め設定された値以上であるかを判定し（Ｓ１６）、続いて監視用コンピュータ２へ前回温度又は湿度データを送信した時刻から予め設定された最少送信時間以上経過しているかを判定し（Ｓ１７）、いずれも満たす場合は監視用コンピュータ２へ読み出された温度又は湿度データを送信する（Ｓ１８）。また、Ｓ１６で温度又は湿度データの値の差を算出し、その差の絶対値が予め設定された値未満である場合は、監視用コンピュータ２へ前回温度又は湿度データを送信した時刻から予め設定された最大送信時間以上経過しているかを判定し（Ｓ１９）、最大送信時間以上経過していれば監視用コンピュータ２へ読み出された温度又は湿度データを送信する（Ｓ１８）。
ここで、監視用コンピュータ２は温度又は湿度データと共に送られてくる識別番号により、そのデータが温度データか湿度データかを判別する。すなわち、識別番号のデータは先頭から所定ビット目にセンサの種類を示す情報が格納されており、これにより送られてきたデータが温度データか湿度データかを判別する。
【００２１】
ここで、最少送信時間間隔は、データ送信を行う時間間隔の最小値である。したがって、温度又は湿度データの値の差の絶対値が予め設定された値以上であっても、前回送信時刻から最少送信時間間隔以上経過後でなければデータ送信は行われないため、時間間隔の短い無駄なデータの送信を省くことができる。なお、温度又は湿度データの値の差の絶対値が予め設定された値以上でない場合であっても、データ送信の時間間隔が最大送信時間間隔を超えていればデータ送信が行われる。これにより、温度及び／又は湿度収集ユニット３は少なくとも最大送信時間間隔毎に温度又は湿度データを自動で得ることができるので、監視用コンピュータ２のソフトウェアの処理を簡略化することができる。なお、最少送信時間間隔及び最大送信時間間隔は、使用者が使用環境に応じて適宜設定することができる。
また、Ｓ１４で温度又は湿度センサ４，４′の応答がなかった場合は、監視用コンピュータ２へ前回温度又は湿度データを送信した時刻から予め設定された最大送信時間間隔以上経過しているかを判定し（Ｓ２０）、最大送信時間間隔以上経過していれば監視用コンピュータ２へセンサ異常の信号を送信する（Ｓ２１）。最大送信時間間隔以上経過していなければデータの送信は行わず、Ｓ２２へ進む。
【００２２】
Ｓ１８で監視用コンピュータ２へ読み出された温度又は湿度データを送信すると、温度及び／又は湿度収集ユニット３は、全ての温度又は湿度センサ４，４′について温度又は湿度データの送信が終了していなければ次の温度又は湿度センサ４，４′を選択し、全ての温度又は湿度センサ４，４′について温度又は湿度データの送信が終了していれば１番目の温度又は湿度センサ４，４′を選択する。即ち、ｉの値が接続されている全ての温度又は湿度センサ４，４′の個数より小さいか否かを判定し（Ｓ２２）、小さければ次の温度又は湿度センサ４，４′を選択するためにｉ＝ｉ＋１とする（Ｓ２３）。ｉの値が温度又は湿度センサ４，４′の個数と同じか又は超えた場合は１番目の温度又は湿度センサ４，４′を選択するためにｉ＝１とする（Ｓ２４）。続いて設置場所情報Ｐｉ（Ｐ２）に対応した識別番号Ｄｉ（Ｄ２）を有する温度又は湿度センサ４，４′を呼び出し（Ｓ２５）、呼び出した温度又は湿度センサ４，４′と１対１通信を行う（Ｓ２６）。ここで、この温度又は湿度センサ４，４′の応答があるか否かを判定し（Ｓ２７）、応答があれば温度又は湿度センサ４，４′にコマンドを送信して温度検知部２３又は湿度検知部２３′（図４参照）で検知された温度又は湿度を温度又は湿度データに変換させる（Ｓ２８）。なお、応答がなければ変換は行われず、スクラッチパッドメモリ部２１は空データのままでＳ１２に戻る。上述したようにスクラッチパッドメモリ部２１が空データの場合はＳ１６〜Ｓ２１の処理がスキップされ、Ｓ２２〜Ｓ２４の処理で次の温度又は湿度センサ４，４′が選択される。Ｓ２８で温度又は湿度データの変換が完了すると温度又は湿度データは自動的にスクラッチパッドメモリ部２１に書き込まれる。続いて、設置場所情報Ｐｉ（Ｐ２）の温度又は湿度センサ４，４′に対してＳ１２からの処理が同様に行われ、すべての温度又は湿度センサ４，４′について処理が行われると設置場所情報Ｐ１の温度又は湿度センサ４，４′に戻って、ループして同様の処理をエンドレスで繰り返す。
【００２３】
以上のように、本実施の形態１における多点環境監視装置１は構成されているので、以下のような作用を有する。
（１）温度及び／又は湿度収集ユニット３は、電源投入時に接続されているすべての温度又は湿度センサ４，４′の識別番号Ｄ１，Ｄ２，…を順次取得し、取得した識別番号Ｄ１，Ｄ２，…をその識別番号Ｄ１，Ｄ２，…に対応する温度又は湿度センサ４，４′の設置場所情報Ｐ１，Ｐ２，…に対応させて不揮発性メモリ部１２の設置場所対応テーブル１５に登録することができる。
（２）温度又は湿度センサ４，４′を交換又は増設した場合であっても、電源投入時の動作Ｓ１〜Ｓ７により接続されている全ての温度又は湿度センサ４，４′の識別番号Ｄ１，Ｄ２，…を自動で登録することができるため、手動による登録作業が必要なく省力性に優れる。
（３）また、予め温度又は湿度センサ４，４′のレジスタ部２４に書き込んだ設置場所情報Ｐ１，Ｐ２，…に対応付けて自動で識別番号Ｄ１，Ｄ２，…を登録することができるので、専門の知識や技術を必要とせず誰でも容易に温度又は湿度センサ４，４′の交換作業や増設作業を行うことができる。
（４）温度及び／又は湿度収集ユニット３は、取得した温度又は湿度データと監視用コンピュータ２へ前回送信した温度又は湿度データの差を算出し、その差の絶対値が予め設定された値以上であれば今回取得した温度又は湿度データを監視用コンピュータ２へ送信するので、温度や湿度の変化が殆どない場合にそのデータを送信することなく無駄なデータ送信を省くことができる。
（５）温度及び／又は湿度収集ユニット３は、現在時間と監視用コンピュータ２へ前回送信した時間とを比較して前回送信からの経過時間が予め設定された最大送信時間間隔以上であれば今回取得した温度又は湿度データを監視用コンピュータ２へ送信することができるので、監視用コンピュータ２は、最大送信時間間隔以上の時間が経過してもデータが受信できなかった場合は、温度及び／又は湿度収集ユニット３の故障や通信異常の発生を検知することができる。
（６）起動後に温度又は湿度変化がなくても最大送信時間間隔以上の時間が経過すれば温度又は湿度データを自動で得ることができるので、監視用コンピュータ２のソフトウェアの処理が簡略化する。
【００２４】
【発明の効果】
以上説明したように本発明の多点環境監視装置によれば、以下のような有利な効果が得られる。
【００２５】
請求項１に記載の発明によれば、
（１）予め温度又は湿度センサのレジスタ部に書き込んだ設置場所情報に対応付けて自動で識別番号を登録することができるので、専門の知識や技術を必要とせず誰でも容易に温度又は湿度センサの交換や増設を行うことができる保守性に優れた多点環境監視装置を提供することができる。
（２）各温度又は湿度センサが温度及び／又は湿度収集ユニットにバス接続されているので、配線数を少なくすることができ、特に増設を容易に行うことができる使用性及び利便性に優れた多点環境監視装置を提供することができる。
【００２６】
請求項２に記載の発明によれば、請求項１の効果に加え、
（１）温度及び／又は湿度収集ユニットは、取得した温度又は湿度データと監視用コンピュータへ前回送信した温度又は湿度データの差を算出し、その差の絶対値が予め設定された所定の値以上であれば今回取得した温度又は湿度データを監視用コンピュータへ送信するので、温度や湿度の変化が殆どない場合にそのデータを送信することなく無駄なデータ送信を省くことができ、監視用コンピュータの負担を軽減することができる多点環境監視装置を提供することができる。
【００２７】
請求項３に記載の発明によれば、請求項２の効果に加え、
（１）温度及び／又は湿度収集ユニットは、温度又は湿度変化がなくても最大送信時間間隔で温度又は湿度データを監視用コンピュータへ送信するため、監視用コンピュータは、最大送信時間間隔以上の時間が経過してもデータが受信できなかった場合は、温度及び／又は湿度収集ユニットの故障や通信異常が発生していると検知することができ故障や通信異常を迅速に検知することができる多点環境監視装置を提供することができる。
（２）監視用コンピュータは、起動後において、温度又は湿度変化がなくても最大送信時間間隔以上の時間が経過すれば温度又は湿度データを自動で得ることができるので、監視用コンピュータのソフトウェアの処理を簡略化することができる多点環境監視装置を提供することができる。
【図面の簡単な説明】
【図１】実施の形態１における多点環境監視装置の全体構成図
【図２】温度及び／又は湿度収集ユニットの機能ブロック図
【図３】温度及び／又は湿度収集ユニットの不揮発性メモリ部に記憶された設置場所対応テーブルを示す構成図
【図４】（ａ）温度センサの機能ブロック図
（ｂ）湿度センサの機能ブロック図
【図５】実施の形態１における多点環境監視装置の電源投入時の動作を示すフローチャート
【図６】実施の形態１における多点環境監視装置の温度及び／又は湿度収集時の動作を示すフローチャート
【符号の説明】
１  多点環境監視装置
２  監視用コンピュータ
３  温度及び／又は湿度収集ユニット
４  温度センサ
４′  湿度センサ
５  第１のＬＡＮケーブル
６  第２のＬＡＮケーブル
６ａ  電源ライン
７  サーバラック
１１  ＣＰＵ
１２  不揮発性メモリ部
１３  トランシーバ部
１４  温度又は湿度センサ接続ポート
１５  設置場所対応テーブル
２１  スクラッチパッドメモリ部
２２  記憶論理回路部
２３  温度検知部
２３′  湿度検知部
２４  レジスタ部
２５  コンフィグレーションレジスタ部
２６  ＣＲＣジェネレータ
２７  入出力ポート兼記憶メモリ部
２８  入出力回路部
２８ａ  データライン
２８ｂ  接地ライン
２８ｃ  電源ライン
２９  電源検出部
【図１】
2004239871.tif 000003
【図２】
2004239871.tif 000004
【図３】
2004239871.tif 000005
【図４】
2004239871.tif 000006
【図５】
2004239871.tif 000007
【図６】
2004239871.tif 000008